(57)【要約】  しっかりと安定した水クラスタを含む製品であって、しっかりと安定した水クラスタは、イオンの内部電界による電気双極子相互作用によって互いに連結された複数の水分子を含み、複数の水分子は永久電気双極子モーメントを含み、しっかりと安定した水クラスタを取り囲む電界が存在する製品が提供される。製品を製造する方法であって、しっかりと安定した水クラスタを形成するべく、物質を希釈水である一定の品質の水で複数回希釈する段階を備え、しっかりと安定した水クラスタは、イオンの内部電界による電気双極子相互作用によって互いに連結された複数の水分子を含み、複数の水分子は永久電気双極子モーメントを含み、しっかりと安定した水クラスタを取り囲む電界が存在する方法も提供され、生成されるしっかりと安定した水クラスタは、更なる材料とともに利用されることで最終製品を生成することもできる。【選択図】図１
2012510892.tif 000002
【特許請求の範囲】
【請求項１】
しっかりと安定した水クラスタを含む製品であって、
しっかりと安定した前記水クラスタは、イオンの内部電界による電気双極子相互作用によって互いに連結された複数の水分子を含み、前記複数の水分子は永久電気双極子モーメントを含み、しっかりと安定した前記水クラスタを取り囲む電界が存在する製品。
【請求項２】
しっかりと安定した前記水クラスタは、通常の室温および大気圧において安定している請求項１に記載の製品。
【請求項３】
しっかりと安定した前記水クラスタを含有する水を含む請求項１に記載の製品。
【請求項４】
しっかりと安定した前記水クラスタを含む石油成分を含む請求項１に記載の製品。
【請求項５】
前記石油成分は、ガス、ディーゼル、および天然ガスからなる群から選択された成分である請求項４に記載の製品。
【請求項６】
しっかりと安定した前記水クラスタが含まれるスキンケア成分を含む請求項１に記載の製品。
【請求項７】
しっかりと安定した前記水クラスタが含まれる健康効果を生じる成分を含む請求項１に記載の製品。
【請求項８】
前記健康効果を生じる成分は、ビタミン、ミネラル、ホルモン、およびエキスからなる群から選択された成分である請求項７に記載の製品。
【請求項９】
しっかりと安定した前記水クラスタを含む小さな水滴が懸濁しているエマルションの形態のしっかりと安定した前記水クラスタを含む更なる成分を含む請求項１に記載の製品。
【請求項１０】
しっかりと安定した前記水クラスタは、リング形状の構造を有する請求項１に記載の製品。
【請求項１１】
しっかりと安定した前記水クラスタの前記リング形状の構造は、５角形、６角形、および矩形からなる群から選択される請求項１０に記載の製品。
【請求項１２】
しっかりと安定した前記水クラスタの複数の前記リング形状の構造が接合されて、しっかりと安定した前記水クラスタのより大きな構造が形成される請求項１０に記載の製品。
【請求項１３】
しっかりと安定した前記水クラスタの前記より大きな構造は、線形構造、リング形状の構造、腎臓のような形状の構造、および螺旋形状からなる群から選択された形状を有する請求項１２に記載の製品。
【請求項１４】
しっかりと安定した前記水クラスタは、二重螺旋形状に構成される請求項１に記載の製品。
【請求項１５】
しっかりと安定した前記水クラスタは、ナノメートルのサイズである請求項１に記載の製品。
【請求項１６】
製品を製造する方法であって、
しっかりと安定した水クラスタが形成されるまで、物質を希釈水である特定の品質の水で複数倍に希釈する段階を備え、
しっかりと安定した前記水クラスタは、イオンの内部電界による電気双極子相互作用によって互いに連結された複数の水分子を含み、前記複数の水分子は永久電気双極子モーメントを含み、しっかりと安定した前記水クラスタを取り囲む電界が存在する方法。
【請求項１７】
前記希釈する段階で利用される前記水の品質は、１６−２０ＭΩ・ｃｍの範囲である請求項１６に記載の方法。
【請求項１８】
前記希釈する段階は、ＣＯ２を含まない雰囲気において希釈する段階を含む請求項１６に記載の方法。
【請求項１９】
ＣＯ２を含まない前記雰囲気としてアルゴンを利用して、前記希釈をアルゴンガスが充填されたチャンバ内で行う段階をさらに備える請求項１８に記載の方法。
【請求項２０】
前記物質として前記水に溶解した塩化ナトリウムを利用する段階をさらに備える請求項１６に記載の方法。
【請求項２１】
希釈中にコンテナにアルゴンを流入させ、コンテナから前記アルゴンを流出させて、アルゴンの圧力を通常の大気よりも大きくする段階をさらに備える請求項１９に記載の方法。
【請求項２２】
ベンチュリ・チューブによるベンチュリ効果によって前記物質をコンテナ内に吸引させる段階をさらに備える請求項１６に記載の方法。
【請求項２３】
しっかりと安定した前記水クラスタの生成を増進する第２の材料を溶液に導入する段階をさらに備える請求項１６に記載の方法。
【請求項２４】
前記第２の材料のコロイド状の懸濁液を準備する段階をさらに備え、
前記導入する段階は、前記第２の材料の前記コロイド状の懸濁液を導入し、これにより生じた電荷スポットに、取り囲んでいる水分子および安定した水クラスタを付着させて、新たな安定した水クラスタを成長させ、且つ、第１の材料により既に生成されている安定した水クラスタをより大きく成長させる段階を有する請求項２３に記載の方法。
【請求項２５】
更なる材料を加えたしっかりと安定した前記水クラスタを利用して前記製品を生成する段階をさらに備える請求項１６に記載の方法。
【請求項２６】
前記利用する段階は、前記更なる材料中の燃料触媒として、しっかりと安定した前記水クラスタの溶液を利用する段階を有し、
前記更なる材料は、ガソリン、ディーゼル、天然ガス、ジェット燃料、重油、および石炭からなる群から選択された燃焼性燃料である請求項２５に記載の方法。
【請求項２７】
前記利用する段階は、製油所、発電所、および製造所からなる群から選択された、石油由来製品を製造する処理施設で利用して、コークス化を低減させるのに利用される前記更なる材料とともに、しっかりと安定した前記水クラスタを利用する段階を有する請求項２５に記載の方法。
【請求項２８】
前記利用する段階は、しっかりと安定した前記水クラスタを有するスキンケア製品を生成するために前記スキンケア製品に利用される前記更なる材料にしっかりと安定した前記水クラスタを導入する段階を有する請求項２５に記載の方法。
【請求項２９】
前記利用する段階は、健康製品を生成するために健康目的で利用される前記更なる材料にしっかりと安定した前記水クラスタの溶液を導入する段階を有する請求項２５に記載の方法。
【請求項３０】
前記利用する段階は、ビタミン、ミネラル、ホルモン、エキス、および医薬品からなる群から選択された健康材料である前記更なる材料にしっかりと安定した前記水クラスタを導入する段階を有する請求項２９に記載の方法。
【請求項３１】
前記利用する段階は、窒素肥料を製造する工業処理で利用される前記更なる材料にしっかりと安定した前記水クラスタの溶液を導入する段階を有する請求項２５に記載の方法。
【請求項３２】
前記利用する段階は、工業処理にしっかりと安定した前記水クラスタの溶液を導入して、液体、含有液体、化学製品、および炭化水素からなる群から選択された、前記工業処理で用いられる材料の粘度を増加させる段階を有する請求項２５に記載の方法。
【請求項３３】
前記利用する段階は、しっかりと安定した前記水クラスタを繊維材料に導入して、繊維を変更または補強する段階を有する請求項２５に記載の方法。
【請求項３４】
前記利用する段階は、しっかりと安定した前記水クラスタを鉛酸バッテリの材料に導入して、前記鉛酸バッテリの機能および寿命を向上させる段階を有する請求項２５に記載の方法。
【発明の詳細な説明】
【技術分野】
【０００１】
本発明は、水クラスタ、および、水クラスタを含む製品に係る。さらには水クラスタ、および、水クラスタを含む製品の製造方法に係る。
【背景技術】
【０００２】
従来、水クラスタおよびその製造方法および利用方法に関する先行技術が存在する。
【０００３】
例えば、１９９７年ワールドサイエンティフィック、Ｂ．Ｂｏｎａｖｉｔａ、Ｓ．Ｙ．Ｌｏにより編集された安定した水クラスタの物理的、化学的、および生物学的特性に関する第一回国際会議議事録、米国特許第５，８００，５７６号明細書、５，９９７，５９０号明細書、米国特許出願公開第２００６／０１１０４１８号明細書、国際特許公開第ＷＯ２００９／０４９１２号パンフレット、米国特許出願公開第２００５／０２７０８９６号明細書、米国特許第６，４８７，９９４号明細書、および、米国特許出願公開第２００４／００２５４１６号明細書に開示されている。
【０００４】
公知の水クラスタおよび水クラスタを含む製品には改良の余地があると考えられている。
【発明の概要】
【発明が解決しようとする課題】
【０００５】
従って、本発明の目的の１つは、向上した水クラスタ、水クラスタを含む製品、および、その製造方法を提供することである。
【課題を解決するための手段】
【０００６】
以下から明らかになるこれら目的およびその他の目的を達成するべく、本発明の１つの特徴は、簡潔にいうと、しっかりと安定した水クラスタを含む製品であって、しっかりと安定した水クラスタは、イオンの内部電界による電気双極子相互作用によって互いに連結された複数の水分子を含み、複数の水分子は永久電気双極子モーメントを含み、しっかりと安定した水クラスタを取り囲む電界が存在する製品である。
【０００７】
しっかりと安定した水クラスタは、ナノメートルのサイズである。しっかりと安定した水クラスタは、通常の室温および大気圧において安定している。
【０００８】
本発明においては、しっかりと安定した水クラスタを含有する水を含む製品が提供される。製品は、しっかりと安定した水クラスタを含む石油成分を含んでよく、石油成分は、ガス、ディーゼル、および天然ガスからなる群から選択された成分であってよい。製品は、しっかりと安定した水クラスタが含まれるスキンケア成分を含んでよい。
【０００９】
本発明においては、製品は、しっかりと安定した水クラスタが含まれる健康効果を生じる成分を含んでよく、健康効果を生じる成分は、ビタミン、ミネラル、ホルモン、およびエキスからなる群から選択された成分であってよい。製品は、しっかりと安定した水クラスタを含む小さな水滴が懸濁しているエマルションの形態のしっかりと安定した水クラスタを含む更なる成分を含んでよい。
【００１０】
しっかりと安定した水クラスタは、リング形状の構造を有してよく、リング形状の構造は、５角形、６角形、および矩形からなる群から選択されてよい。しっかりと安定した水クラスタの複数のリング形状の構造が接合されて、しっかりと安定した水クラスタのより大きな構造が形成されてよい。しっかりと安定した水クラスタは、二重螺旋形状に構成されてよい。
【００１１】
製品を製造する方法であって、しっかりと安定した水クラスタが形成されるまで、物質を希釈水である一定の品質の水で複数回希釈する段階を備え、しっかりと安定した水クラスタは、イオンの内部電界による電気双極子相互作用によって互いに連結された複数の水分子を含み、複数の水分子は永久電気双極子モーメントを含み、しっかりと安定した水クラスタを取り囲む電界が存在する方法が提供される。
【００１２】
希釈する段階で利用される水の水質は、１６−２０ＭΩ・ｃｍの範囲であってよい。ＣＯ２を含まない雰囲気において希釈されてよい。ＣＯ２を含まない雰囲気としてアルゴンを利用して、希釈をアルゴンガスが充填されたチャンバ内で行うこともできる。
【００１３】
材料として水に溶解した塩化ナトリウムを利用してよい。通常の雰囲気に比べて正のアルゴン圧を提供するために、希釈中にコンテナにアルゴンを流入させ、コンテナからアルゴンを流出させてよい。ベンチュリ・チューブによるベンチュリ効果によって物質をコンテナ内に吸引させてよい。
【００１４】
しっかりと安定した水クラスタの製造を強化する第２の材料を溶液に導入してよい。方法では、第２の材料のコロイド状の懸濁液を準備してよく、これを利用して、取り囲んでいる水分子と安定した水クラスタとを付着させて、電荷スポットを生じさせ、新たな安定した水クラスタを成長させ、且つ、第１の材料により既に生成されている安定した水クラスタをより大きく成長させることができる。
【００１５】
更なる材料を加えたしっかりと安定した水クラスタを利用して製品を生成してよい。更なる材料は、ガソリン、ディーゼル、天然ガス、ジェット燃料、重油、および石炭からなる群から選択されてよい。製油所、発電所、および製造所からなる群から選択された、石油由来製品を製造する処理施設で利用してもよい。コークス化の低減に利用することもできる。しっかりと安定した水クラスタを有するスキンケア製品を生成するためのスキンケア材料であってもよい。健康製品を生成するための、健康目的で医療される材料であってもよい。ビタミン、ミネラル、ホルモン、エキス、および医薬品からなる群から選択された健康材料であってもよい。
【００１６】
窒素肥料を製造する工業処理で利用される更なる材料にしっかりと安定した水クラスタの溶液を導入してもよい。工業処理にしっかりと安定した水クラスタの溶液を導入して、工業処理における、液体、含有液体、化学製品、および炭化水素からなる群から選択された材料の粘度を増加させることもできる。さらに、繊維材料に導入して、繊維を変更または補強することもできる。鉛酸バッテリの材料に導入して、鉛酸バッテリの機能および寿命を向上させることもできる。
【図面の簡単な説明】
【００１７】
【図１】しっかりと安定した水クラスタの原子間力顕微鏡写真である。
【図２】しっかりと安定した水クラスタの原子間力顕微鏡写真である。
【図３】しっかりと安定した水クラスタを製造するデバイスの概略図である。
【図４】しっかりと安定した水クラスタを製造するための、乾燥塩化ナトリウム溶液からの残留物の原子間力顕微鏡写真である。
【図５】しっかりと安定した水クラスタを製造するための、乾燥塩化ナトリウム溶液からの残留物の原子間力顕微鏡写真である。
【図６】しっかりと安定した水クラスタを製造するための、乾燥塩化ナトリウム溶液からの残留物の原子間力顕微鏡写真である。
【図７】しっかりと安定した水クラスタを製造するための、乾燥塩化ナトリウム溶液からの残留物の原子間力顕微鏡写真である。
【図８】しっかりと安定した水クラスタの小規模製造デバイスの概略図である。
【図９】しっかりと安定した水クラスタを製造するための、別の実施形態における残留物の原子間力顕微鏡写真である。
【図１０】しっかりと安定した水クラスタを製造するための、別の実施形態における残留物の原子間力顕微鏡写真である。
【図１１】しっかりと安定した水クラスタに基づき石油燃料を触媒と混合する処理の概略図である。
【図１２】しっかりと安定した水クラスタに基づき石油燃料を触媒と混合する処理の概略図である。
【図１３】塩化ナトリウムの結晶の顕微鏡写真である。
【図１４】異なる構造のしっかりと安定した水クラスタの原子間力顕微鏡写真である。
【図１５】異なる構造のしっかりと安定した水クラスタの原子間力顕微鏡写真である。
【図１６】異なる構造のしっかりと安定した水クラスタの原子間力顕微鏡写真である。
【図１７】しっかりと安定した水クラスタの様々な形状を示す。
【図１８】しっかりと安定した水クラスタの様々な形状を示す。
【図１９】しっかりと安定した水クラスタの様々な形状を示す。
【図２０】しっかりと安定した水クラスタの様々な形状を示す。
【図２１】二重螺旋構造のＤＮＡの写真である。
【図２２】二重螺旋構造のしっかりと安定した水クラスタの原子顕微鏡写真である。
【図２３】二重螺旋構造のしっかりと安定した水クラスタの原子顕微鏡写真である。
【発明を実施するための形態】
【００１８】
水クラスタを含む新たな製品、新たなしっかりと安定した水クラスタ、およびこれらを含む製品について、以下で詳述する。
【００１９】
通常の水は、水分子からなるクラスタを含むことが分かっている。これら可変の水分子は、熱エネルギーによって水素結合がランダムに破壊された後で再結合することから、フリッカ水クラスタと称されることが多い。本発明は、安定した電界を周囲に持つ、固定された数の水分子からなる、しっかりと安定した水クラスタに係る。
【００２０】
本発明では、しっかりと安定した水クラスタを、超純水で可溶性物質を希釈することにより製造することができる。
【００２１】
これら固体／安定した／水／クラスタのサイズは、数十ナノメートルから数ミクロンまでの範囲である。これらは、永久電気／双極子／モーメントを有する。これらを取り囲む強力な電界が存在する。
【００２２】
図１は、電界を、同じ顕微鏡の電気力モードを利用して撮影した対応する写真（図２）から明示的に計測した、しっかりと安定した水クラスタの原子間力顕微鏡写真のタッピングを示す。サンプルは、高次の熱分解黒鉛に対してしっかりと安定した水クラスタを多数含む超純水からなる。原子間力顕微鏡写真は、走査デバイスの第１パスが物理的に接触しているが、第２のパスでは、先端が表面の上の１００ナノメートル離れた位置に保持されており、１ボルトのバイアスを走査先端に印加することで、先端がしっかりと安定した水クラスタの電界により作動（effect）された際に、電気力モード写真を生成する、というタッピングモードで撮影されたものである。
【００２３】
最大のしっかりと安定した水クラスタは、ミクロンオーダのサイズであり、数十から数百ナノメートルの範囲のサイズであるより小さいしっかりと安定した水クラスタの組み合わせからなる。これらしっかりと安定した水クラスタのあるサイズにおける分布がこの図に示されている。この、しっかりと安定した水クラスタを含む超純水においては、Ｌｉｇｈｔｈｏｕｓｅ  Ｍｏｄｅｌ  Ｌ−Ｓ６０  Ｌｉｑｕｉｄ  Ｓａｍｐｌｅｒを利用して、０．１、０．５、０．２、０．２５、０．３、０．３５、０．４、および０．５ミクロンという各サイズのクラスタを示す。
2012510892.tif 000003
【００２４】
最小のしっかりと安定した水クラスタはナノメートル単位なので、従来利用されてきたエマルション製品とは異なっている。
【００２５】
これらしっかりと安定した水クラスタを取り囲む強力な電界により、化学反応速度が増すので、触媒として利用することができる。
【００２６】
油と水は自然に混合することができないことが公知である。油と水を安定した製品として結合させる方法は、超音波または激しい振動により乳化させる方法、または化学的結合剤を添加する方法、またはこれらの組み合わせによるもの等、いくつかある。
【００２７】
しかし、これらのしっかりと安定した水クラスタを、全ての種類の燃焼エンジンに供給する燃焼性燃料に導入する方法については現実的には問題がある。つまり、最良の触媒効果を得るためには、しっかりと安定した水クラスタを、より小さい成分に分割する必要がある。本明細書が提案するナノ技術による乳化方法では、結合剤および燃焼促進剤等の化学物質の添加なしに、ナノサイズのしっかりと安定した水クラスタを直接、ディーゼル、ガソリン、ジェット燃料等の全石油ベースの燃料に直接懸濁させる。
【００２８】
水／クラスタは、ナノ・エマルションを有する石油燃料の一部として生成されておらず、しっかりと安定した水クラスタを含む水３ｐｐｍ以下が必要とされる。
【００２９】
図３は、実際の製造デバイスを示す。１つのタンクが供給であり、ディーゼルが配置される。垂直超音波シャフトによりポンプで処理タンクに供給されて、ナノ・エマルションを生成する。
【００３０】
従って、燃料に対する添加物としては、水分子から形成されるしっかりと安定した水クラスタを含む溶液が利用される。この溶液は、サブミクロンのサイズの小さい水滴が懸濁されている特殊なエマルションである。このエマルションは、しっかりと安定した水クラスタを含む水と、ディーゼル燃料、ガソリン、およびジェット燃料等の石油製品とを、超音波デバイスを利用して激しく振動させることにより生成される。このエマルションは、トラック、車両、船舶、飛行機、機関車、または発電所に設けられる燃焼エンジンの燃料（ガソリン、ディーゼル、天然ガス）に添加される。
【００３１】
本発明におけるスキンケア製品には、本発明のしっかりと安定した水クラスタを含む溶液が含まれている。溶液は、他の非水溶性液体に、しっかりと安定した水クラスタを含む小さな水滴が懸濁されているエマルションであってよい。この非水溶性液体は、油およびクリームからなる群から選択された液体であってよい。
【００３２】
上述したスキンケア製品には化学物質が添加されていてよい。また、本発明におけるスキンケア製品には、化学物質が添加されていなくてもよい。スキン製品のエマルションは、しっかりと安定した水クラスタを含む水を激しく振動させることにより生成されたエマルションであってよく、ここで水滴はサブミクロンのサイズであってよい。
【００３３】
本発明によるスキンケア製品は、健康効果を持つ材料を含むこともできる。材料には、ビタミン、ミネラル、ホルモン、天然ハーブエキス等が含まれてよい。
【００３４】
本発明における食品には、発明品であるしっかりと安定した水クラスタが含まれる。溶液は、他の非水溶性液体に、しっかりと安定した水クラスタを含む小さな水滴が懸濁されているエマルションであってよい。食品には添加物が含まれていても、いなくてもよい。水滴はサブミクロンのサイズであってよい。上述したエマルションは、しっかりと安定した水クラスタを含む水を激しく振動させることにより生成されてよい。
【００３５】
しっかりと安定した水クラスタおよび対応する食品原料を利用することにより、いくつもの食品を生成することができる。発明品であるしっかりと安定した水クラスタを含む飲用水または非飲用水も生成することができる。
【００３６】
しっかりと安定した水クラスタは、有機および／または無機材料を超純水で希釈することで製造することができる。安定した水クラスタを形成するには、無機材料を一定の希釈液に希釈する必要がある。さらに、大量の安定した水クラスタを得るには、１８．２ＭΩ・ｃｍの水質の水を、希釈水として利用する必要がある。超純水産業では、水を１８．２ＭΩ・ｃｍの比抵抗にまで精製するための機器が利用可能である。
【００３７】
最大品質を得るためには、更なる基準を利用することができる。Ｌｉｇｈｔ  Ｈｏｕｓｅ社製のＬＳ−６０レーザパーティクルカウンタにより、単位体積あたりの粒子数の分析を行うことができる。適切なコンテナの利用を徹底することにより、コンテナ自身に存在しうる他の化学物質または粒子からの浸出または汚染を制御することができるようになる。本発明の方法で利用される２つの種類のコンテナは、石英およびポリプロピレンまたはこれらに類似した材料からなる。
【００３８】
市販の蒸留水には通常、２ｍｌのサンプルについて、０．１ミクロンの粒子が５万個またはそれ以上含まれている。本発明の方法では、２ｍｌについて、０．１ミクロンを超える粒子を５００個未満含む超純水が利用される。以下の表１では、市販の蒸留水を本発明の超純水と比較している。
【００３９】
超純水は、「１０水（10-water）」として示されており、これが本発明の方法で利用される水である。計測は０．１ミクロンから０．５ミクロンで行われた。
【表１】
2012510892.tif 000004
【００４０】
このように本発明の方法の第１の段階では、蒸留水として利用する「１０−水」を生成して、安定した水クラスタを生成する。
【００４１】
次に、アルゴンガスを充たしたチャンバで蒸留処理を行う。処理全体は、二酸化炭素のない雰囲気中で行われることが肝要である。通常の雰囲気に曝されると、二酸化炭素が含まれていることから、１８．２Ｍオームの純水は、数秒の単位で急速に１Ｍオーム以下の水に劣化する。このような超純水を二酸化炭素に曝すことにより炭酸が形成されることで、イオンが生成されて導電される。
【００４２】
従って本発明における希釈は、アルゴンを充たしたチャンバ内で、「１０−水」に対して少量の材料を添加することにより実行される。以下は、塩化ナトリウムを利用する例である。
【００４３】
表２は、１０−３ｍｏｌ／Ｌの濃度の塩化ナトリウムの水溶液の粒径分布を示す。
【表２】
2012510892.tif 000005
【００４４】
表２は、「１０水」から１０−３ｍｏｌ／Ｌの濃度の塩化ナトリウムの水溶液の粒径分布を示す。制御された非大気（non-atmosphere）条件下において、「１０水」を用いて１０−７ｍｏｌ／Ｌの程度の濃度まで希釈することは、全粒子の粒子数の合計を２．７個にまで線形に減少させることと同一視することができる。
【００４５】
同じ溶液を、さらに１０−７ｍｏｌ／Ｌにまで希釈する場合には、１０−３ｍｏｌ／Ｌの場合の計測値を比較して、０．１ミクロンを超える大きさの粒子がはるかに大きいように見えることに留意されたい。これらがイオンであるとは考えられないので、これらは、単に水分子が集合したクラスタに由来し、そのクラスタが検出されたにすぎない。
2012510892.tif 000006
【００４６】
図４に示す原子間力顕微鏡ＡＦＭ写真（タッピング、形状像、ｆｒｗ）ＮａＣｌ結晶を示す。図４は、乾燥した１０−３ｍｏｌの塩化ナトリウム水溶液からの残留物の画像を示しており、塩化ナトリウムの結晶形態を示している。
【００４７】
図４は、液体残留物を蒸発させた後の、溶液Ｓの残留物の原子間力顕微鏡写真である。溶液Ｓにおける安定した水クラスタの形状およびサイズを明確に読み取ることができる。
【００４８】
図５のＮａＣｌ結晶（タッピング、位相像、ｂｋｗ、ＥＦＭ）は、図４と同時にとった、１０−３ｍｏｌ／Ｌの塩化ナトリウム水溶液を乾燥させて得られた残留物の電気力顕微鏡写真を示す。Ｎａｃｌ結晶形態が均一の色を有していることは、塩化ナトリウムの表面に電荷がないことを示している。写真の右側の垂直方向のエッジは、顕微鏡のステージの上の汚染から電荷が存在しているが、塩化ナトリウム結晶の上には電荷がないことを示している。
【００４９】
図６の１．７×１０−７ｍｏｌ／Ｌの希釈液（タッピング、形状像、Ｆｒｗ）は、１．７×１０−７ｍｏｌ／Ｌの塩化ナトリウム水溶液を乾燥させて得られた残留物の原子間力顕微鏡写真を示し、ここでは安定した水クラスタの形状は示されているものの、塩化ナトリウムの結晶形態の形状は認められない。
【００５０】
図７の１．７×１０−７ｍｏｌ／Ｌの希釈液（タッピング、位相、ｂｋｗ）は、安定した水クラスタの電気力顕微鏡写真を示しており、結晶構造が変化したことが示されている。
【００５１】
これらの、上述の方法により非常に希釈された溶液を用いて準備された水クラスタは、所定の日にち、月、および年の間、安定である。水クラスタは特に安定している。
【００５２】
安定した水クラスタを生成する希釈プロセスを実行するバッチの規模は、小さくても大きくてもよい。小規模のバッチは、リットルまたはガロン単位のコンテナで実行されてよく、大規模のバッチは、数百ガロン以上のコンテナで実行されてよい。
【００５３】
図８は、１ガロンのコンテナにおける安定した水クラスタの小規模の製造を示す。コンテナ、チューブ、ストッパ等を、ポリプロピレンで製造することで、製品の汚染を引き起こす浸出現象を最小限に抑える。コンテナの上部のストッパは、３つのチューブ用に３つの孔を含む。チューブ１は、アルゴンを流入させ、チューブ４は、アルゴンガスを流出させ、これによりアルゴンの圧力を通常の大気より大きくして、空気の流入を防いで溶液と接触させないようにする。これにより、きれいな「１０−水」への、または最終生成物である溶液に対する二酸化炭素による汚染が防がれる。
【００５４】
デバイスを大規模にして大量生産を可能としたり、連続運用できるよう自動化したりすることもできる。このプロセスは、具体的には、（１）アルゴンをチューブ１から流入させて、ビン内の全ての大気をチューブ４により押し出す、（２）「１０水」を中央のチューブ２から、大気がなくアルゴンが充填されたビンへ注入する、（３）「１０−水」がビンに入ると、少量の物質Ａが、ベンチュリ・チューブ３によるベンチュリ効果によってビンに吸引され、これにより、二酸化炭素がなく、「１０水」の純度が保たれる環境において物質Ａが希釈される、というように行われる。
【００５５】
従ってこの安定した水クラスタの生成プロセスでは、少量の材料Ａを水に添加するが、この純度は、比抵抗が１８．２ＭΩ・ｃｍであり、レーザパーティクルカウンタによる計測値において、不純物の量が極小であることに特徴付けられている。希釈プロセスは、二酸化炭素のない雰囲気中で行われる。希釈プロセスは、アルゴンガス等の不活性ガスを含む雰囲気中で行うこともできる。希釈プロセスは、アルゴンガスを充たし、圧力を正にして大気が内部にリークしてこないようにしたビン内で行うこともできる。全てのコンテナには、リークおよび浸出を生じない容器を利用することで、いかなる不純物／汚染物もが、純水または安定した水クラスタが生成されている希釈度の高い溶液を汚染しないようにする。コンテナは上部に３つの出口チューブを含み、うち１つがアルゴンを流入させるチューブであり、１つがアルゴンを流出させるチューブであり、３つ目が純水をコンテナに流入させるチューブである。純水を流入させる３つ目のチューブは、ベンチュリ効果により少量の希釈溶質を吸引することができる。希釈プロセスは、通常空気に接触させないようにして行われる。コンテナ、チューブ、ストッパ等は、ポリプロピレン、石英、またはこれらに類似した汚染を防ぐ材料からなる。材料Ａは、人工的に生成された、発見された、または、植物、動物、および人間から分離された有機または無機材料（例えば、ビタミン、アミノ酸、ホルモン、たんぱく質、酵素、ポリペプチド、多糖、ＤＮＡ、ＲＮＡ等）であってよい。希釈により得られた水溶液の用途は、燃料燃焼効果の向上、健康効果の向上、生化学的反応の向上、全ての種類の工業触媒処理における利用、ひいては、繊維工業の振興、電気めっき技術または類似したプロセスの向上等、多岐にわたる。
【００５６】
材料を高純度の水に希釈することによる安定した水クラスタの大規模製造について以下で説明する。通常は高純度の水に単一の材料を希釈させることにより得られる、大量の安定した水クラスタを含有する濃度の高い溶液を得ることが望ましい場合が多い。本発明は、単位体積あたりのクラスタ数を増やすために、安定した水クラスタの製造方法を向上させる方法を提案する。
【００５７】
先ず、ある材料Ａの希釈度の高い「溶液Ｓ」を準備する。一例としては塩化ナトリウムを材料Ａとして利用することができる。材料Ａは、上述した厳しい条件下で、高純度の水で希釈して、１．７×１０−７ｍｏｌの濃度にする。溶液Ｓ内の安定した水クラスタの数を、Ｌｉｇｈｔｈｏｕｓｅ社製の液中パーティクルカウンタＬＳ−６０等のレーザパーティクルカウンタにより計測した結果を以下の表３に示す。
【表３】
2012510892.tif 000007
【００５８】
表３は、以下に示す濃縮方法を行う前の、１．１×１０−７ｍｏｌの濃度の塩化ナトリウムの溶液Ｓからの、０．１ミクロンから０．５ミクロンまでの様々なサイズの粒子計測値を示している。
【００５９】
図９は、液体残留物を蒸発させた後の、溶液Ｓの残留物の原子間力顕微鏡写真である。溶液Ｓにおける安定した水クラスタの形状およびサイズを明確に読み取ることができる。
【００６０】
安定した水クラスタの数は、永久電気双極子モーメントを有する第２の材料を添加することにより、希釈度の高い溶液Ｓ内で増加させることができる。１．０×１０２ｍｏｌ未満にまで希釈された、材料Ｂと称する第２の材料を数滴、溶液Ｓに添加する。
【００６１】
材料Ｂは、ビタミンＥ、オメガ３オイル、あるいは、任意の他の有機または無機材料、または、数多くの異なる種類の材料を混合したものであってもよい。具体例として、オメガ３オイルを材料Ｂとして利用する。
【００６２】
極小量のオメガ３オイルを、好適にはアルゴンガスを環境ガスとして利用する条件下で、高純度の水と混合する。油と水は混ざらないので、油と水を混ぜるための更なる処理が必要である。完全に混合するためには、超音波振動を利用して、材料Ｂがコロイド状に懸濁するまで粉砕する。最大の効果を生じさせるためには、油の分子を、水の分子に直接接触させる必要がある。油と水とが混合されると、溶液ではなく、エマルションとなる。次いで、材料Ｂと純水とが完全に混合されたこのエマルションを少量、溶液Ｓに添加する。最終物である溶液Ｓ'における材料Ｂの最小濃度は１．０×１０−７ｍｏｌの範囲であるべきである。
【００６３】
新たな有機分子（オメガ３オイル）の表面は、多くの正または負の電荷を帯びたスポットを有する。周囲を取り囲む水分子および安定した水クラスタは、これら電荷を帯びたスポットに付着して、これら電荷を帯びたスポットが、安定した水クラスタの成長サイトを提供する。新たな安定した水クラスタが成長して、材料Ａから既に生成されている安定した水クラスタは、より大きく成長する。この結果、一定の体積あたりの安定した水クラスタの濃度がより高くなった溶液が生成される。
【００６４】
表４は、本記載に説明する方法で材料Ｂを添加した溶液Ｓ'についてレーザパーティクルカウンタで計測された、安定した水クラスタのサイズ分布を示す。これにより、一定の体積あたりの安定した水クラスタが増加したことが分かる。
【表４】
2012510892.tif 000008
【００６５】
表４は、本記載に説明する強化方法を実行した後の溶液Ｓ'における、０．１ミクロンから０．５ミクロンを超える大きさの、様々なサイズの安定した水クラスタの粒子計測値を示す。
【００６６】
図１０は、強化プロセスの完了後の、脱水された溶液Ｓ'（タッピング、形状像、Ｆｒｗ、１．７×３−７希釈）から得られる残留物の原子間力顕微鏡写真である。安定した水分子のサイズおよび分布を明確に読み取ることができる。
【００６７】
溶液Ｓに第２の材料Ｂを少量添加することにより、より多くの数の安定した水クラスタを有することが見出され、このように本方法では、既存の溶液Ｓから強化された溶液Ｓ'が生成される。材料Ｂは液相であり、無機材料であっても有機材料であってもよい。石油製品のうちのいずれか（ディーゼル、ガソリン、またはこれらの派生物等）であってもよい。材料Ｂは先ず、超音波振動等により激しく振動させられることで、高純度の水と完全に混合させられて、均一な混合物（つまりエマルション）を形成する。この均一な混合物を少量、アルゴンガスを含む条件下で、高純度の水に添加する。高純度の水は、抵抗計で計測した値が１８ＭΩ・ｃｍ程度の非常に高い純度を有する水を生成する水生成器から得られる。生成プロセスの各ステップにおいて、溶液の全部分を空気中の二酸化炭素に曝さないようにする。全てのコンテナ、チューブ、ストッパ、ジョイントは、高純度の水と接触したときにリークまたは浸出を起こさない材料から作成する。これら材料の例としては石英およびポリプロピレンが挙げられる。安定した水分子の強化された溶液Ｓ'は、ガソリン、ディーゼル、天然ガス、ジェット燃料、重油、および石炭等の燃焼性燃料の燃料触媒として利用することができ、これにより、製油所、発電所、石油由来製品を製造する製造工場等の処理施設においてコークス化を低減させることができ、健康目的（例えばサプリメント、医薬品、またはホメオパシー薬等）でも利用可能であり、窒素肥料を製造する工業処理においても利用することができる。ひいては、水を利用して含有される液体または化学物質または炭化水素の粘度を増させる必要があるような工業処理への利用、繊維製品を変更したり補強したりするための利用、あるいは、鉛酸バッテリの機能および寿命を向上させるための利用等も可能である。
【００６８】
本発明の更なる実施形態では、以下のデバイスを、安定した水クラスタからなる触媒を含む製品の工業的大量生産に利用することができる。
【００６９】
図１１は、右側に、ディーゼル燃料を含むフィーダタンクＡを含むデバイスを示す。ディーゼル燃料は、超音波振動デバイスが設置されているタンクＢにポンプで容れられる。燃料がタンクＢに到達するまでに、少量の濃縮触媒ＣＣをタンクＣからベンチュリ効果により抽出する。濃縮触媒ＣＣのディーゼル燃料に対する比率Ｒは、非常に小さく設定されている（例えば、１０００のディーゼルに対して１のＣＣといった比率で）。濃縮触媒ＣＣは、タンクＢ内で超音波振動によって完全にディーゼル燃料と混合される。タンクＢへの流出入の流量は、ディーゼルとＣＣとが完全に混合されるために必要な一定の超音波振動混合時間が確保されるように制御される。ＣＣとディーゼル燃料との混合物はタンクＢから流出して、主要タンクＤに到達する。混合されるためには２回以上タンクＢを通過する必要がある。二回目の混合は、引き続きディーゼルとＣＣとの混合物をポンプして主要タンクＤからタンクＢへと戻し、超音波振動により混合をさらに行ったうえで、主要タンクＤに戻す、という処理である。
【００７０】
混合が良好に完了すると、ディーゼル燃料には必要な触媒が添加されているとみなすことができるので、格納タンクＥへ格納して、これによりディーゼル燃料の利用者への配送準備が整う。同様の手順は、ガソリン、ジェット燃料、ケロシン、その他の液状石油製品にも利用することができる。
【００７１】
図１１は、化学的結合剤を利用せずに大量の石油燃料を液状の触媒と混合させる処理を示すフロー図であり、図１２は、濃縮触媒ＣＣをベンチュリ効果によりタンクＣからタンクＢに添加するフロー図を示す。
【００７２】
濃縮触媒ＣＣはタンクＣから流入させられる。ベンチュリメータの弁により、ＣＣは、燃料をタンクＢにおける超音波処理へと搬送するチューブに入る。メータチューブは、体積Ｖ２のディーゼルと混合されるＣＣの体積Ｖ１を計測する。ディーゼルＶ２の体積は、フィーダタンクＡからの弁により制御される。比率Ｒ＝Ｖ１／Ｖ２は固定されている。１つの方法として、弁によりＣＣをベンチュリ効果でチューブに流入させ、タンクＡからタンクＢに向かうディーゼルと混合させる。タンクＡからのディーゼルは超音波処理タンクＢへ向かう。
【００７３】
まとめると、少量の濃縮触媒ＣＣをディーゼルまたはその他の石油系の燃料と激しく混合することにより処理される燃料用の大量の触媒ＣＣを生成する手順は、公式ＣＣ＋Ｄ＝ＣＤで表される。ここで、比率Ｒは、ＤＤに対するＣＣの量として、Ｒ＝ＣＣ／Ｄで定義される。一例として比率は、１／１０００と選択される。
【００７４】
開示する方法および機器は、概して、任意の濃度のＣＣで利用することができる。ＣＣは、任意の溶液Ｄ（例えばディーゼル、ガソリン、油、アルコール製品等）と混合するための、または、ハンドクリーム、フェースクリーム、その他の健康製品等を製造するための、安定した水クラスタをかなり大量に含む。
【００７５】
最大の混合効果を得るべく、および、生成される製品の純度を保証するべく、タンクＡからタンクＢ、Ｃ、Ｄ、およびＥまでのシステム全体を、正のアルゴン圧力下に維持して、通常の室内雰囲気に存在する二酸化炭素および酸素からの汚染を防ぐ。
【００７６】
濃縮ＣＣを液体Ｄと混合させることで、より低い密度の安定した水クラスタを含む大量の希釈液ＣＤを生成する幾つかの具体例には、（１）Ｄがディーゼル燃料であり、ＣＤは、ディーゼル燃料に添加する燃料添加物であり、燃焼効果を上げ、汚染を低減させる、（２）Ｄがガソリンであり、ＣＤは、ガソリンに添加する燃料添加物であり、燃焼効果を上げ、汚染を低減させる、（３）Ｄは、ジェット燃料またはケロシン等の任意の燃料であり、ＣＤは、ジェット燃料およびケロシンへの燃料添加物である、（４）Ｄは油であり、ＣＤは、手や顔等に利用することのできる安定した水クラスタを有する油であり、見栄えを良くさせたり、健康にさせたりする、（５）Ｄは純水であり、ＣＤは、健康目的に利用することのできる少量の安定した水クラスタを有する水である、（６）Ｄはワインであり、ＣＤは、より高品質のワインにすることのできる少量の安定した水クラスタを有するワインである、等がある。
【００７７】
本実施形態をまとめると、このように生成された大量のＣＤは、高密度の安定した水クラスタを含む少量の濃縮ＣＣを、ディーゼル、ガソリン、油、水、またはクリームであってよい溶液Ｄと激しく混合させて、ディーゼル、ガソリン、その他の石油燃料またはクリームのための触媒であってよい希釈溶液ＣＤを生成することにより生成される触媒または油、またはクリームであってよい。混合は超音波により行われ、ＣＣのＤに対する混合比率Ｒは、例えば１／１０００といった低い値に設定されてよく、この比率は、第１のバルブがフィーダタンクＡからのＤの量を制御して、第２のバルブが、メータ領域に入るＣＣの量を制御して、ＣＣがＤとベンチュリ効果により混合されるような、２つの自動制御されるバルブにより維持することができる。混合され希釈された液体ＣＤは、超音波処理を行うタンクから主要タンクへとポンプにより流入させられ、主要タンクの混合ＣＤは、超音波処理を行うタンクへと短期間の間継続してポンプされて、ＣＤ混合物が完全に混合されて主要タンクに留まるようにする。完全に混合された液体ＣＤは格納タンクに格納されて、配送を待つ。
【００７８】
完全に混合された液体ＣＤは燃料添加物として利用することができ、ここで燃料Ｄは、ディーゼル、ガソリン、ケロシン、ジェット燃料等であってよく、健康目的に利用する場合には、Ｄが油であり、ＣＤが、例えば手または顔用の健康目的のエマルションまたは液体形状であってよく、アルコール飲料の場合には、Ｄがアルコール飲料（例えばワイン、ビール等）であってよく、液体Ｄが純水であってよく、ＣＣは特定の安定した水クラスタ用の濃縮物であってよく、最終生成物ＣＤは健康目的に利用される（例えば飲用として）。
【００７９】
本発明のしっかりと安定した水クラスタは、特定の分子構造を有する。
【００８０】
上述したように、安定した水クラスタは希釈により生成することができる。塩化ナトリウムの希釈を一例にとって説明する。有機および無機材料両方を超純水で希釈して水を生成することができ、この水において安定した水クラスタの存在は、安定した水クラスタを水に容れてみることで分かり、あるいは、スライドガラス上でクラスタ水を蒸発させた後の残留物を検査することで分かる。これは、光学顕微鏡および原子間力顕微鏡を利用して行われる。図１４は、しっかりと安定した水クラスタの一例を示している。安定した水クラスタには様々な形状がある。一部はコットンボールのように見える。図１４では、幾つかのリング形状の構造が示されており、これはより基本的なものであるとみなすことができる。
【００８１】
図１４では、写真のサイズが７．６７ミクロン×７．６７ミクロンである。この写真に示されているリング形状の構造のサイズは約１ミクロンである。
【００８２】
固体物理では、位相遷移現象を考える際に、規格化は重要な原理である。相互作用は、演算子形式のハミルトニアンで表されるエネルギーであり、規格化される。つまり、オブジェクトのサイズに関らず、同じ種類の相互作用が生じる、ということである。図１３は、倍率４００ｘの顕微鏡で見たときの、様々なサイズの塩化ナトリウムの形状を示している。
【００８３】
２つの左端の塩化ナトリウムのクラスタに注目されたい。塩化ナトリウムの面心立方構造は、二次元の写真において正方形に見える。矩形形状の塩化ナトリウム構造の最大値と最小値との間には、約１００倍の差異が許容されている。塩化ナトリウムの面心立方構造は、ナノメートルサイズ未満に留まっている。比較すると、リング形状の構造のスケーリングもまた、ナノメートルサイズという小さいものである。
【００８４】
リング形状の構造が完成しておらず、半分しか完成していないことがある。この腎臓のような形状の構造を図１５に示す。図１５の写真の寸法は１．６６ミクロン×１．６６ミクロンである。腎臓のような形状の構造は、約６００ｎｍから７００ｎｍである。
【００８５】
クラスタ水を蒸発させて得られる残留物を、１ミクロン未満のサイズで原子間力顕微鏡を用いて検査することにより、より精細な写真が得られる。図１６はこれらの写真のうち１つである。５つの辺を有する５角形のもの、６つの辺を有する６角形のもの、および、４つの辺を有する矩形のものがある。５角形および６角形が合わさって、サッカーボールのような構造になっているものも見られる。図１６の写真の寸法は、０．６３ミクロン×０．６３ミクロンである。数多くの４つの辺、５つの辺、および６つの辺を有するリング構造が見られる。これら構造のサイズは、約３０ｎｍから５０ｎｍの範囲にある。これら構造が組み合わさって、サッカーボールのような構造が形成されている。
【００８６】
図１７の孤立電子対においては、水分子が２つの水素原子と１つの酸素原子とからなる。これら３つの原子が、四面体の頂点を占めている。
【００８７】
多くの水分子が組み合わさって１つのクラスタを形成する場合、これは多くの四面体を係着しているのに等しい。水クラスタの最低エネルギー状態は、５角形および６角形の構成を指し示しており、ここで酸素分子が５角形および６角形、または時として矩形の頂点を占めている。こうすることにより、これら５角形および６角形が、図１８に示すようなサッカーボールのような構造を形成する。数学的には、これは５ｎ６ｍとして表すことができる。ここで、ｎとｍは、サッカーボールのような構造を構成する５角形および６角形の数を示す。小さなサッカーボールのような構造は、２つの線が合流する頂点が酸素原子のサイトである。水素原子は、頂点を接合する線沿いに並ぶ。一般形は、５ｎ６ｍ４ｋである。これには、ｋ個の４つの辺を有する矩形が加わっている。さらに、これらはつまるところ、線形形状、螺旋形状等を構成することのできる単位である。
【００８８】
図１８は、６０個の頂点を有するボールを示す。図１９は、２０個の６角形の白色パッチと、１２個の５角形の黒色パッチとを有するサッカーボールを示す（５１２６２０と表すことができる）。
【００８９】
ごく基本的なリング構造は、図２０に示すような、５つの辺を有する５角形、６つの辺を有する６角形、および、４つの辺を有する矩形により表すことができる。最小分子リング構造は、これら多角形の頂点を占める酸素原子それぞれと、これら頂点を接合する線沿いに並んだ水素原子それぞれとからなる。
【００９０】
図２０は、左から右へ、５角形、６角形、矩形が並んだ安定した水クラスタの象徴的なリング構造を示す。
【００９１】
このように本発明の安定した水クラスタは、通常の室温および大気圧では安定しており、リング構造は、数ミクロンから、数百ナノメートル、数十ナノメートルの範囲である。これらリング構造は、５つの辺を有する５角形、６つの辺を有する６角形、４つの辺を有する矩形であってよい。これらリング構造の最小のものは、５つの辺を有する５角形、６つの辺を有する６角形、および４つの辺を有する矩形が、酸素原子および水素原子それぞれからなり、酸素原子が頂点にあり、水素原子が頂点同士を接合する線沿いに並ぶ。これら５角形、６角形、または矩形を組み合わせることで、安定した水クラスタの一部を構成する、より大きな構造が形成される。より大きな構造は、サッカーボールのような構造であり、ｎ辺が５角形であり、ｍ辺が６角形であり、ｋ辺が矩形であり、これは５ｎ６ｍ４ｋで表され、ｎ、ｋ、ｍは０，１，２，３から非常に大きな整数までを含んでよい。サッカーボールのような構造を含むより大きな構造を組み合わせることで、より大きな安定した水クラスタを形成することができ、これらは線形形状、リング形状、腎臓のような形状、または螺旋形状であってよい。
【００９２】
遺伝物質の基本構造ＤＮＡは、二重螺旋であることが分かっている。ＤＮＡの構造は、十億年をかけて徐々に生き残れる生命を決定するコード化された記録として構築されてきた進化的発生期間が悠久であることから、非常に複雑なものとなっている。この長い進化の鎖には開始点というものがあったはずであり、この開始点とは、より大きい進化の鎖にみられるＤＮＡの出現前のもの、つまり、より高度な生物生命体にみられるＤＮＡの出現前のものであり、原始の単細胞組織に存在していたようなものである。今日に至るまで、この形成メカニズムをその形成時の観点から解明した人はいない。生命体が水から生じ、水なしには生命体はない、ということは常識であるが、水とＤＮＡ等の錯体との間に直接リンクがあると証明した人はいない。
【００９３】
本発明においては、安定した水クラスタは螺旋構造を有し、特に２つの螺旋対が組み合わせられて、ＤＮＡ構造に類似した二重螺旋を形成することができる。
【００９４】
図２１は、二重螺旋構造を有するＤＮＡの写真である。図２２および図２３は、二重螺旋構造を有する本発明の安定した水クラスタの２つの原子間力顕微鏡写真を示す。
【００９５】
図２１と図２２−図２３とを比べると、差異および類似点がある。差異は、ＤＮＡの二重螺旋はアミノ酸から形成されているが、安定した水クラスタの二重螺旋は水分子から形成されている点である。
【００９６】
一方で類似点は、両方とも二重螺旋であり、互いから拡大または縮小された画像である、ということである。安定した水クラスタの二重螺旋の幅は約２ミクロンであり、ＤＮＡの二重螺旋の幅は約２ナノメートルであり、これは１０００分の１の大きさである。ＤＮＡ分子を１０００倍に拡大すると、ちょうど二重螺旋の安定した水クラスタに類似したものとなる。
【００９７】
安定した水クラスタの二重螺旋構造には、ナノメートル、ミクロン、またはこれより大きなサイズのものがある。
【００９８】
拡大縮小の対称性の原理を示す。結晶のハミルトニアン（この種類のシステムの多くについて、運動エネルギーとポテンシャルエネルギーとの合計に等しい数学関数）は、規模に関らず同じとなる。これは、規模がナノメートル、マイクロメートル、またはミリメートルであろうと、ハミルトニアン（エネルギー）が同じであるということである。結晶の形状は、最低エネルギー状態により決定されるので、結晶の形状は、規模に関らず同じとなる（物理用語では、結晶の寸法がナノメートル、マイクロメートル、またはミリメートルであろうと、結晶が同じ形状となる、と称する）。塩（ＮａＣｌ）結晶を検査すると、ミリメートルの立方体形状である（これは単純な拡大鏡を利用することで分かる）。ＮａＣｌ結晶を原子間力顕微鏡で観察すると、これもミクロンのサイズではあるが立方体形状をしている。ＮａＣｌと同じサイズがナノメートルのサイズでも維持されており、これは面心立方体と称される。
【００９９】
従って、本発明の安定した水クラスタの二重螺旋形状は、ミクロンサイズであろうとナノメートルサイズであろうと、維持されることが予期される。
【０１００】
二重螺旋の安定した水クラスタを含む溶液はここに開示する方法で製造することができる。しかしこれはあくまで可能性のある製造方法のうちの１つにすぎない。
【０１０１】
この溶液の粒子計測値を表に示す。
【表５】
2012510892.tif 000009
【０１０２】
安定した水クラスタは、螺旋構造を有しえて、二重螺旋形状に形成されることもある。二重螺旋構造は、ＤＮＡ分子が形成される前の生命の成長段階における前駆体でありうる。螺旋構造の幅は、数ミクロンであっても、数ナノメートルであってもよい。
【０１０３】
上述したエレメント各々を、または２以上を組み合わせたものを、上述したものとはまた異なる他の種類の構造で利用すると、利点を生じる場合がある。
【０１０４】
本発明は、しっかりと安定した水クラスタを含む製品に具現化するものとして説明および図示してきたが、記載されたものに限定はされず、様々な変形例および構造上の変更が、本発明の精神を逸脱せずに可能である。
【０１０５】
更なる分析を行わずしても、上述した記載と現在の知識とを勘案することで、他の当業者は、先行技術の観点から、本発明の一般的なまたは特殊な態様の本質的な特徴の大部分を構成する特徴を省くことなく、様々な用途に対して容易に適合させうるような本発明の本質を完全に理解するであろう。
【０１０６】
添付請求項は、新規であるとして特許保護を望む内容である。
【図１】
2012510892.tif 000010
【図２】
2012510892.tif 000011
【図３】
2012510892.tif 000012
【図４】
2012510892.tif 000013
【図５】
2012510892.tif 000014
【図６】
2012510892.tif 000015
【図７】
2012510892.tif 000016
【図８】
2012510892.tif 000017
【図９】
2012510892.tif 000018
【図１０】
2012510892.tif 000019
【図１１】
2012510892.tif 000020
【図１２】
2012510892.tif 000021
【図１３】
2012510892.tif 000022
【図１４】
2012510892.tif 000023
【図１５】
2012510892.tif 000024
【図１６】
2012510892.tif 000025
【図１７】
2012510892.tif 000026
【図１８】
2012510892.tif 000027
【図１９】
2012510892.tif 000028
【図２０】
2012510892.tif 000029
【図２１】
2012510892.tif 000030
【図２２】
2012510892.tif 000031
【図２３】
2012510892.tif 000032
【国際調査報告】
2012510892.tif 000033
2012510892.tif 000034